(57)【要約】【課題】軟質床を硬質床へ簡単に改装でき、作業の容易化を図ることができる改装床及び床の改装方法を提供すること。【解決手段】軟質床材３の上に中間部材４が不動に配置され、この中間部材４の上に硬質床材５が取り付けられている。壁９，１０の近くに配置された硬質床材５は止着具である釘１１によって固定され、この釘１１は、硬質床材５、中間部材４及び軟質床材３を貫通してこの軟質床材３の下の床下地材２に打ち込まれており、釘１１の頭部は壁９，１０に取り付けられた幅木１３，１４によって隠されている。【選択図】  図３
2008150949.tif 000002
【特許請求の範囲】
【請求項１】
軟質床材の上に中間部材が不動に配置され、この中間部材の上に硬質床材が取り付けられ、壁の近くに配置された前記硬質床材が、この硬質床材、前記中間部材及び前記軟質床材を貫通してこの軟質床材の下の床下地材に打ち込まれた止着具によって固定されているとともに、前記止着具の頭部が前記壁に取り付けられた幅木によって隠されていることを特徴とする改装床。
【請求項２】
請求項１に記載の改装床において、前記中間部材の外縁部には下方へ延びる固定用片が設けられ、この固定用片において前記中間部材は前記止着具よりも短寸の止着具で前記床下地材に固定されていることを特徴とする改装床。
【請求項３】
請求項１又は２に記載の改装床において、前記硬質床材は水平方向に複数並設され、それぞれの前記硬質床材における互いに反対側の２個の側面のうちの一方には実が形成され、他方には溝が形成され、互いに隣接する２個の硬質床材のうちの一方の硬質床材の前記実が他方の硬質床材の前記溝に嵌合されてこれらの硬質床材が接続されていることを特徴とする改装床。
【請求項４】
請求項１〜３のいずれかに記載の改装床において、前記中間部材は下方へ延びる複数の脚部を備えており、これらの脚部が前記軟質床材の軟質部の内部に侵入して前記中間部材が前記軟質床材の上に配置されていることを特徴とする改装床。
【請求項５】
中間部材の上に硬質床材を取り付ける工程と、この中間部材を建物の床の表面を形成している軟質床材の上に配置する工程と、壁の近くに配置された前記硬質床材を、この硬質床材、前記中間部材及び前記軟質床材を貫通してこの軟質床材の下の床下地材に打ち込まれた止着具によって固定する工程と、前記止着具の頭部を前記壁に取り付けられた幅木によって隠す工程と、を含んでいることを特徴とする床の改装方法。
【発明の詳細な説明】
【技術分野】
【０００１】
本発明は、改装床及び床の改装方法に係り、カーペットや絨毯等による軟質床をフローリング等による硬質床にリフォームする際に利用できるものである。
【背景技術】
【０００２】
住宅の床は、床の経年化や居住者の希望、あるいは居住形態の変更、居住者自体の交代等により、改装されることがある。このように床を改装する場合のなかには、カーペットや絨毯等で仕上げられた軟質床をフローリング等による硬質床に改装しなければならないことがあり、従来、軟質床を硬質床にリフォームすることは、軟質床の表面を形成しているカーペット等の軟質床材を床下地材から取り外し、この代わりの硬質床材を配置することにより行われていた。
【発明の開示】
【発明が解決しようとする課題】
【０００３】
この従来の床の改装方法によると、床下地材からの軟質床材の取り外し作業と、この後の硬質床材の配置作業とを行わなければならず、床改装のために多くの手間と時間がかかり、また、コストも高くなるという問題があった。
【０００４】
本発明の目的は、軟質床を硬質床へ簡単に改装でき、作業の容易化を図ることができるようになる改装床及び床の改装方法を提供するところにある。
【課題を解決するための手段】
【０００５】
本発明に係る改装床は、軟質床材の上に中間部材が不動に配置され、この中間部材の上に硬質床材が取り付けられていることを特徴とするものである。
【０００６】
この改装床によると、軟質床材と硬質床材との間に中間部材が配置されているため、軟質床材の上に中間部材を介して硬質床材を取り付けことができるようになる。このため、従来と異なり、軟質床材を床下地材から取り外し、この後に硬質床材を配置するという作業を行う必要がなくなり、作業の簡単化、工期の短縮、コストの低減を達成できるようになる。
【０００７】
ここで、軟質床材はカーペットでもよく、絨毯でもよく、本発明は任意な軟質床材で表面が形成されている床に適用できる。また、硬質床材は木製でもよく、木粉に合成樹脂製の接着剤を混合して成形したものでもよく、合成樹脂製でもよく、金属製でもよい。また、この硬質床材は、床暖房用の床材でもよい。
【０００８】
また、硬質床材は、細幅状のもので幅方向に複数並設されるものでもよく、小面積のパネル状のもので前後方向及び左右方向に複数並設されるものでもよく、大面積の面材状のもので１枚で又は少数枚の並設で硬質床の表面を形成するようになっているものでもよい。
【０００９】
また、中間部材は硬質床材と同じ形状、面積のものでもよく、硬質床材と異なる形状、面積のものでもよい。また、中間部材は合成樹脂製でもよく、金属製でもよく、木製でもよく、木粉に合成樹脂製の接着剤を混合して成形したものでもよい。また、この中間部材は、床暖房のための部材になっていてもよい。
【００１０】
また、本発明において、軟質床材の上に中間部材を不動に配置するためには、中間部材を軟質床材の下の床下地材にこの軟質床材を貫通する釘やビス等による止着具で固定してもよく、あるいは中間部材を軟質床材に接着材や粘着材等で直接的に固定してもよい。しかし、中間部材を確実に固定するためには、前者の固定手段を採用することがより好ましい。
【００１１】
また、前者の固定手段を採用する場合、中間部材の表面から裏面へ貫通する止着具で中間部材を前記床下地材に固定してもよく、中間部材の外縁部に下方へ延びる固定用片を設け、この固定用片おいて中間部材を止着具で床下地材に固定してもよい。
【００１２】
中間部材の外縁部に設けた固定用片において中間部材を止着具で床下地材に固定するようにすると、予め中間部材の上に硬質床材を取り付けておき、この後、中間部材を止着具で床下地材に固定するという作業を行えるようになり、予め中間部材の上に硬質床材を取り付ける作業を床改装現場以外の例えば工場で実施できるため、現場作業の効率向上を達成できる。
【００１３】
さらに、硬質床材が複数並設されることにより硬質床の表面が形成される場合には、それぞれの硬質床材の接続構造は任意であり、その一例は、それぞれの硬質床材における互いに反対側の２個の側面のうちの一方には実を形成し、他方には溝を形成し、互いに隣接する２個の硬質床材のうちの一方の硬質床材の実を他方の硬質床材の溝に嵌合することにより、これらの硬質床材を接続することである。また、他の例は、それぞれの硬質床材における互いに反対側の２個の側面のうちの一方には硬質床材の半分の厚さによる上半分の段部用突部を、他方には硬質床材の半分の厚さによる下半分の段部用突部をそれぞれ形成し、互いに隣接する２個の硬質床材をこれらの段部用突部同士の係合で接続することである。
【００１４】
本発明に係る改装床材において、中間部材は軟質床材を圧縮変形させてこの軟質床材の上に配置してもよいが、中間部材を下方へ延びる複数の脚部を備えるものとし、これらの脚部を軟質床材の軟質部の内部に侵入させるようにしてもよい。
【００１５】
これによると、それぞれの脚部を軟質床材の下部の固い基部に当てることができ、中間部材を軟質床材に対して一定の高さで安定させることができるため、軟質床材に対する中間部材の不動状態を確実なものにできる。
【００１６】
本発明に係る床の改装方法は、中間部材の上に硬質床材を取り付け、この後、この中間部材を建物の床の表面を形成している軟質床材の上に不動に配置することにより、建物の床を硬質床材による硬質床に改装することを特徴とするものでる。
【００１７】
この改装方法によると、軟質床材を床下地材から取り外すことなく軟質床を硬質床に改装できるとともに、中間部材の上に硬質床材を取り付けた後、中間部材を軟質床材の上に不動に配置するため、硬質床材を中間部材の上に取り付ける作業を工場等で行え、床改装現場で行う作業工数の削減により作業を簡単化できる。
【００１８】
この改装方法において、軟質床材の上に中間部材を不動に配置することは、圧縮変形させた軟質床材の上に中間部材を接着剤や粘着剤で固定することによって行ってもよいが、中間部材を確実に不動状態とさせるためには、中間部材を軟質床材の下の床下地材にこの軟質床材を貫通する止着具で固定することがより好ましい。
【００１９】
また、この改装方法において、硬質床材と中間部材のそれぞれを複数とし、それぞれの硬質床材における互いに反対側の２個の側面のうちの一方には実を形成し、他方には溝を形成し、中間部材を軟質床材の下の床下地材にこの軟質床材を貫通する止着具で固定するごとに、これらの中間部材の上に取り付けられた互いに隣接する２個の硬質床材のうちの一方の硬質床材の実を他方の硬質床材の溝に嵌合させるようにしてもよい。
【００２０】
このようにすると、それぞれの中間部材を止着具で床下地材に固定するだけで、実と溝とにより水平方向に並設された硬質床材同士が接続された状態にすることができ、また、それぞれの中間部材の一方の側部だけを止着具で床下地材に固定すればよく、床改装作業を簡単化できる。
【発明の効果】
【００２１】
本発明によると、軟質床を硬質床へ簡単に改装でき、作業の容易化を図ることができるという効果を得られる。
【発明を実施するための最良の形態】
【００２２】
以下に本発明を実施するための形態を図面に基づいて説明する。改装前の床は、図２、図３で示す根太１と、根太１の上に取り付けられた床下地材２と、床下地材２の上に接着剤等で固定された軟質床材３とからなり、したがって改装前の床は、軟質床材３により表面が仕上げられた軟質床となっている。軟質床材３は、本実施形態ではカーペットであり、このカーペット３は、固い基部である基布３Ａと、基布３Ａから上方へ延び、カーペット３の軟質部を形成している毛部３Ｂとからなる。
【００２３】
なお、床下地材２とカーペット３との間に固い床材が設けられていてもよく、このような場合でも、以下の説明では、固い床材を含めて床下地材２という。
【００２４】
改装後の床では、カーペット３の上に中間部材４が不動に配置され、中間部材４の上に硬質床材５が取り付けられている。このため、改装後の床は、硬質床材５により表面が仕上げられた硬質床となっている。
【００２５】
図１には、中間部材４と硬質床材５が示されている。これらの中間部材４と硬質床材５は共に細幅状で、中間部材４と硬質床材５の幅寸法同士及び長さ寸法同士は同じであり、したがって表面積同士も同じである。中間部材４は硬質の合成樹脂で形成され、細幅の面状となっている主部４Ａには軽量化のための多数の孔６が形成されている。この主部４Ａの下面には、下方へ延びる複数の脚部４Ｂが主部４Ａの全体に亘って設けられている。これらの脚部４Ｂは、本実施形態ではピン状のものであるが、中間部材４の長さ方向と幅方向とのうちの一方又は両方に連続して延びる板状のものでもよい。
【００２６】
また、中間部材４の外縁部、すなわち中間部材４の幅方向の一方の端部には下方へ延びる固定用片４Ｃが設けられ、固定用片４Ｃの下端は主部４Ａ側とは反対側へ突出した水平部４Ｄとなっている。このような固定用片４Ｃは、中間部材４の長さ方向に一定間隔で複数設けられている。
【００２７】
硬質床材５は木製であり、図１で示すように、硬質床材５の幅方向の一方の側面には、硬質床材５の厚さ中間部において、実７が形成され、他方の側面には硬質床材５の厚さ中間部において、溝８が形成され、実７と溝８の硬質床材５での高さ位置及び上下寸法は対応している。また、実７と溝８は硬質床材５の長さ方向に連続して形成されている。
【００２８】
それぞれの硬質床材５は、工場において、硬質床材５ごとに用意された中間部材４の主部４Ａの上に接着剤で固定され、そして、床の改装現場に運ばれる。中間部材４の主部４Ａへの硬質床材５の固定は、実７の側を固定用片４Ｃの側にして行う。
【００２９】
次ぎに、改装現場で行う床改装作業を説明する。図３には、床を改装すべき部屋の左右の壁９と１０が示されている。一方の壁９に溝８側の側面を押して当てながら最初の硬質床材５及びこの硬質床材５が取り付けられた中間部材４をカーペット４の上に置き、この中間部材４の脚部４Ｂをカーペット３の軟質部である毛部３Ｂの内部に侵入させてその先端をカーペット３の固い基部である基布３Ａに当てる。また、硬質床材５の溝８側の端部において止着具である長寸の釘１１を打ち、この釘１１を硬質床材５、中間部材４及びカーペット３に貫通させて床下地材２に打ち込む。
【００３０】
そして、この中間部材４の固定用片４Ｃの水平部４Ｄにおいて短寸の釘１２を打ち、この釘１２をカーペット３を貫通させて床下地材２に到達させる。この釘打ちを硬質床材５の実７のために垂直に行うことが困難な場合には、斜め打ちを行う。
【００３１】
次いで、このようにカーペット３の上に不動に配置された最初の硬質床材５の実７に、この硬質床材５の隣に配置する次ぎの硬質床材５の溝８を嵌合し、これらの硬質床材５を幅方向に並設しながら、これらの硬質床材５が取り付けられている中間部材４も並設し、前述と同じく、カーペット３の上に新たに配置された中間部材４の脚部４Ｂの先端をカーペット３の基布３Ａに当てる。そして、この新たな中間部材４の固定用片４Ｃの水平部４Ｄについても、釘１２を床下地材２まで打ち込む作業を行う。
【００３２】
次ぎに、図２で示すように、以上と同じ作業を他の硬質床材５、中間部材４について順次繰り返して行い、複数の硬質床材５、中間部材４をその幅方向に並設する。
【００３３】
図３で示す前記壁９とは反対側の壁１０の近くまで硬質床材５、中間部材４を並設し、カーペット３が露出している残りの幅寸法が１個の硬質床材５、中間部材４の幅寸法よりも小さくなったら、最後の硬質床材５、中間部材４をその残りの幅寸法に適合する寸法に切断し、この小幅の硬質床材５、中間部材４も実７と溝８の嵌合を行いながら前述と同様にカーペット３の上に置く。そして、この小幅の硬質床材５の壁１０側の端部を床下地材２まで達する長寸の釘１１で固定する。
【００３４】
以上の作業後、両方の壁９，１０の近くに配置された硬質床材５の釘１１の頭部を隠しながら、壁９，１０に幅木１３，１４を取り付ける。
【００３５】
なお、それぞれの硬質床材５を中間部材４の主部４Ａに取り付ける際、溝８の側を固定用片４Ｃの側にしてこの取り付けを行ってもよい。このようにすると、釘１２を打つ作業を実７の影響を受けずに行える。硬質床材５と中間部材４とをこのような位置関係にした場合には、壁９に押し当てられる硬質床材５から実７を切除した後、この押し当てを行う。
【００３６】
以上の本実施形態によると、軟質床材であるカーペット３を残したまま床の改装作業を行えるため、作業を簡単に行え、工期の短縮、コストの低減を実現できる。
【００３７】
また、中間部材４はカーペット３の下の床下地材２に釘で固定されるため、こ中間部材４を確実にカーペット３に対して不動状態とすることができる。
【００３８】
さらに、硬質床材５は中間部材４に工場で取り付けられ、床改装現場で取り付けられるのではないため、現場での作業工数を少なくでき、その分さらに工期の短縮、コストの削減を達成できる。
【００３９】
また、中間部材４を床下地材２に固定するための釘１２の打ち込み作業を、中間部材４の一方の側部に設けられた固定用片４だけについて行っても、壁９，１０の近くに配置された左右両側の硬質床材５を除き、互いに隣接する硬質床材５同士は実７と溝８で接続されているため、これらの硬質床材５が浮き上がることはなく、釘１２の打ち込み作業を中間部材４の一方の側部だけについて行えばよいため、釘打ち作業回数を少なくできる。
【００４０】
さらに、壁９，１０の近くに配置された硬質床材５、中間部材４は釘１１で床下地材２に固定されるため、この固定は確実なものとなる。また、これらの釘１１の頭部は幅木１３，１４で隠されるため、改装後の床の外観を良好にできる。
【００４１】
また、中間部材４は脚部４Ｂがカーペット３の毛部３Ｂの内部に侵入し、その先端は固い基布３Ａに達しているため、中間部材４の高さ位置を一定にでき、中間部材４と硬質床材５を安定的にカーペット３の上に配置できる。
【００４２】
なお、中間部材４の主部４Ａの底面に粘着剤を塗布しておき、カーペット３の毛部３Ｂをこの粘着剤に粘着させてもよい。
【００４３】
また、中間部材４の脚部４Ｂの個数、長さ、太さ等は、カーペット３の毛部３Ｂの密度、長さ等に応じて決めることが好ましい。
【産業上の利用可能性】
【００４４】
本発明は、カーペットや絨毯等による軟質床をフローリング等による硬質床にリフォームする際に利用できる
【図面の簡単な説明】
【００４５】
【図１】図１は、本発明の一実施形態に係る硬質床材、中間部材、軟質床材を分離状態で示す斜視図である。
【図２】図２は、改装後の床を左右両側を除いて示す縦断面図である。
【図３】図３は、改装後の床を左右両側の壁を含めて示す一部省略の縦断面図である。
【符号の説明】
【００４６】
１  根太
２  床下地材
３  軟質床材であるカーペット
３Ａ  軟質部である毛部
３Ｂ  基部である基布
４  中間部材
４Ｂ  脚部
４Ｃ  固定用片
５  硬質床材
７  実
８  溝
９，１０  壁
１１，１２  止着具である釘
１３，１４  幅木
【図１】
2008150949.tif 000003
【図２】
2008150949.tif 000004
【図３】
2008150949.tif 000005